(57)【特許請求の範囲】
【請求項１】
水性の家庭用洗浄製品、布地処理製品又は脱臭製品であって、前記製品が、
ａ．水性組成物であって、
ｉ．０．１ｗｔ％〜３０ｗｔ％の界面活性剤、及び
ｉｉ．０．００３ｗｔ％〜５ｗｔ％の香料であって、前記香料のうち少なくとも４０ｗｔ％が、エチルバニリン；酢酸イソオイゲニル；ヘリオトロピンジエチルアセタール；７−メチル−２Ｈ−１，５−ベンゾジオキセピン−３（４Ｈ）−オン；４−（４−ヒドロキシフェニル）２−ブタノン；バニリンイソブチレート；ヘリオナール；カシュメラン（Cashmeran）；ピペロニルアセトン；メチルβ−ナフチルケトン；メチルジヒドロジャスモネート；リラール；及びこれらの混合物；からなる群より選択される１つ以上の親水性香料成分である香料、を含む水性組成物と、
ｂ．少なくとも８０ｗｔ％がＨＤＰＥで構成されたプラスチック容器であって、前記製品が収容されるプラスチック容器と、を含む、製品。
【請求項２】
前記香料が、１つ以上の親水性香料成分を少なくとも７０ｗｔ％含有する、請求項１に記載の製品。
【請求項３】
前記製品が基材を更に含み、前記基材は前記水性組成物で含浸されている、請求項１に記載の製品。
【請求項４】
前記基材が不織布ウェットタオルである、請求項３に記載の製品。
【請求項５】
前記水性組成物が、前記香料を０．０５ｗｔ％〜０．２ｗｔ％含む、請求項１に記載の製品。
【請求項６】
前記水性組成物が、シクロデキストリンを更に含む、請求項１に記載の製品。
【請求項７】
家庭用の洗浄製品、布地処理製品又は脱臭製品において芳香剤の完全性を維持し、芳香の存続期間を延長する方法であって、前記方法が、
ａ．０．１ｗｔ％〜３０ｗｔ％の界面活性剤と０．００３ｗｔ％〜５ｗｔ％の香料とを含む水性組成物を提供する工程であって、前記香料が、エチルバニリン；酢酸イソオイゲニル；ヘリオトロピンジエチルアセタール；７−メチル−２Ｈ−１，５−ベンゾジオキセピン−３（４Ｈ）−オン；４−（４−ヒドロキシフェニル）２−ブタノン；バニリンイソブチレート；ヘリオナール；カシュメラン（Cashmeran）；ピペロニルアセトン；メチルβ−ナフチルケトン；メチルジヒドロジャスモネート；リラール；及びこれらの混合物；からなる群より選択される１つ以上の親水性香料成分を少なくとも４０ｗｔ％含有するものである、工程と、
ｂ．前記組成物を、少なくとも８０ｗｔ％がＨＤＰＥで構成されたプラスチック容器中に充填する工程と、を含む、方法。
【請求項８】
前記製品が基材を更に含み、前記基材は前記水性組成物で含浸されている、請求項７に記載の方法。
【発明の詳細な説明】
【技術分野】
【０００１】
本発明は、親水性で高分子量の香料成分を有する水性組成物を包含し、プラスチック容器に充填されている家庭用の洗浄製品、布地処理製品及び脱臭製品に関する。この水性組成物は、溶解又は乳化した状態にあって、約３未満のＣｌｏｇＰ及び約２００℃超の沸点を有する十分な配合量の香料成分を含有していることから、一旦プラスチック容器に分配されると、貯蔵中に香料成分がプラスチック容器の内部へ及び／又はプラスチック容器を通じて透過することが最小限度に抑えられ、そして芳香の存続期間が延長される。
【背景技術】
【０００２】
処理することにより表面に快適な香りが付与される、家庭用の洗浄製品、布地処理製品及び脱臭製品が、消費者に高く評価されていることが確認されている。利用上の便宜性及び適用性のために、家庭用の洗浄組成物、布地処理組成物及び脱臭組成物は、例えばガラス容器のかわりに、プラスチック容器に充填されていることが非常に望ましい。費用の理由から、ポリエチレンは、かかる組成物用のプラスチック容器を製造するのに好ましい材料である。
【発明の概要】
【発明が解決しようとする課題】
【０００３】
しかしながら、疎水性である香料成分は、その組成物を貯蔵している間にポリエチレンの内部へ吸収されたり、及び／又はポリエチレンを通じて透過することによって水性組成物から失われ易いことが分かっている。これによって、この組成物で処理された表面に存在するはずである芳香剤の完全性又は芳香特性に変化が生じ、その他に芳香の存続期間が縮小することになる。貯蔵中に失われなかった低沸点の香料成分は、容器から分配された途端に高沸点の香料成分よりも迅速に失われることも分かっている。
【課題を解決するための手段】
【０００４】
本発明は、約０．０１％〜約５０％の界面活性剤及び約０．００３％〜約５％の香料を包含する水性組成物を含む家庭用の洗浄製品、布地処理製品又は脱臭製品であって、その香料が約３未満のＣｌｏｇＰ及び約２００℃超の沸点を有する１つ以上の親水性香料成分を少なくとも約１０％含有しており、その組成物が、少なくとも約８０％は親水性香料と親和性の材料で構成されたプラスチック容器に収容されている、製品に関する。本発明の一実施形態では、水性組成物は、表面を清浄化又は脱臭するためにウェットタオル又は他の基材に含浸される。
【０００５】
本発明はまた、家庭用の洗浄製品、布地処理製品又は脱臭製品において芳香剤の完全性を維持し、かつ芳香の存続期間を延長させる方法であり、その方法は、約０．０１％〜約５０％の界面活性剤及び約０．００３％〜約５％の香料を包含する水性組成物を供給することであって、その香料が約３未満のＣｌｏｇＰ及び約２００℃超の沸点を有する１つ以上の親水性香料成分を少なくとも約１０％含有していることと、その組成物を、少なくとも約８０％が親水性香料と親和性の材料で構成されたプラスチック容器中に充填することとによる、方法にも関する。
【図面の簡単な説明】
【０００６】
本明細書は、本発明を詳細に指摘して明確に請求する特許請求の範囲をもって結論とするが、本発明は、以下の説明を添付図面と併せ読むことによって更に十分に理解されると考えられる。
【図１】第一の実施形態として、３種の新たに調製された香料組成物の香りの強度を経時的に表す線グラフ（その組成物として、対照香料組成物と、本発明に従って作製された２種の香料組成物とが挙げられる）。
【図２】図１に示されたものと同じ３種の香料であるが、経時変化した（周囲温度又は４９℃で約２週間以上さらされた）ものについて、香りの強度を経時的に表す線グラフ。
【図３】第二の実施形態として、３種の新たに調製された香料組成物の香りの強度を経時的に表す線グラフ（その組成物として、対照香料組成物と、本発明に従って作製された２種の香料組成物とが挙げられる）。
【図４】図３に示されたものと同じ３種の香料であるが、経時変化した（周囲温度又は４９℃で約２週間以上さらされた）ものについて、香りの強度を経時的に表す線グラフ。
【発明を実施するための形態】
【０００７】
本発明によれば、水と界面活性剤と複数の香料とを含む家庭用の洗浄製品、布地処理製品又は脱臭製品を、通常のプラスチック容器、例えば高密度ポリエチレン（ＨＤＰＥ）で構成された容器の中に充填すると、特定の香料成分が香料から失われる傾向があることが分かった。特に理論に束縛されるものではないが、香料成分は、疎水性香料成分（すなわち、ＣｌｏｇＰが約３以上のもの）がプラスチック容器の内部へ吸収されること及び／又はプラスチック容器を通じて透過することによって失われると考えられる。香料が十分な量でかかる疎水性香料成分を含有する場合、かかる損失によって、芳香剤の完全性又は意図された芳香が著しく変化する。ポリエチレンテレフタレート（ＰＥＴ）又はガラスで製造された容器は、疎水性香料成分に関して悪影響を示さない。しかしながら、消費者らは、ガラスは割れるという安全性の理由からガラスよりもプラスチック容器を好み、またプラスチック容器は一般に、ガラス及びＰＥＴよりも安価である。香料成分がプラスチック容器の内部へ及び／又はプラスチック容器を通じて吸収されること及び／又は透過することを減少させる材料バリアも検討されてきたが、この選択肢は、製造コスト及び製造時間の追加が必要であり魅力のないものとなっていた。
【０００８】
芳香剤成分の完全性は、家庭用の洗浄製品、布地処理製品及び脱臭製品において、ＣｌｏｇＰが約３未満の香料成分を十分な量で利用することと、これら製品を、少なくとも８０％が親水性香料と親和性の材料で構成されたプラスチック容器であって、プラスチック容器にバリア材料が添加されていない容器の中に充填することとによって、更に良好に維持できることが今では分かっている。芳香剤成分の完全性は、約３未満のＣｌｏｇＰ及び高沸点（約２００℃超のもの）を有する香料成分を利用することによって更に向上させることができる。
【０００９】
本発明は、水の他に、約０．０１％〜約５０％の界面活性剤と約０．００３％〜約５％の香料とを含む水性組成物を有する家庭用の洗浄製品、布地処理製品又は脱臭製品であって、その香料は、約３未満のＣｌｏｇＰ及び約２００℃超の沸点を有する１つ以上の親水性香料成分を少なくとも約１０％含有し、その製品が、少なくとも約８０％は親水性香料と親和性の材料で構成されたプラスチック容器に収容されている、製品である。本発明の一態様では、水性組成物は、表面を清浄化又は脱臭するためにウェットタオル又は他の基材に含浸される。
【００１０】
本発明はまた、その家庭用の洗浄製品、布地処理製品又は脱臭製品を供給することによって、芳香剤成分の完全性を維持しかつ芳香の存続期間を延長させる方法をも包含する。
【００１１】
Ａ．香料
本発明の水性組成物は、香料をその組成物の約０．００３ｗｔ％〜約５ｗｔ％、あるいは約０．００３ｗｔ％〜約１ｗｔ％、あるいは約０．０１ｗｔ％〜約１ｗｔ％、あるいは約０．０１５ｗｔ％〜約０．５ｗｔ％、あるいは約０．２ｗｔ％〜約０．４ｗｔ％、あるいは約０．３ｗｔ％〜約０．４ｗｔ％、あるいは約０．０５ｗｔ％〜約０．３ｗｔ％、あるいは約０．０５ｗｔ％〜約０．２ｗｔ％の濃度で含有する。本発明の組成物中で使用するために選択される香料は、芳香特性を有する成分を含有することで、その組成物が対象とする表面に新鮮な印象を与える。
【００１２】
あまり疎水性ではない香料は、表面に強い初期の芳香効果を与える。より疎水性ではない香料成分は、更に水に溶解し易く、フレッシュニング組成物中に更に上手く利用することができる。香料成分の疎水性度は、そのオクタノール／水分配係数Ｐと関連付けることができる。香料成分のオクタノール／水分配係数は、オクタノール中及び水中におけるその平衡濃度の間の比率である。より大きな分配係数Ｐを有する香料成分は、より疎水性が高い。逆に、より小さな分配係数Ｐを有する香料成分は、より親水性が高い。本発明の香料成分は、オクタノール／水分配係数Ｐが約１，０００以下であることができる。香料成分のこの分配係数は通常は大きい値であるため、１０を底とするそれらの対数の形（ｌｏｇＰ）で示すと更に便利である。
【００１３】
多くの香料成分のｌｏｇＰが報告されている；例えば、カリフォルニア州アーヴァイン（Irvine）のデイライト・ケミカル・インフォメーション・システムズ社（Daylight Chemical Information Systems, Inc.）（デイログＣＩＳ（Daylog CIS））から入手可能なポモナ９２データベース（Pomona 2 database）には、元の文献の引用と共に多数のｌｏｇＰが収納されている。ただし、ｌｏｇＰ値は、デイライトＣＩＳ（Daylight CIS）からも入手可能な「ＣＬＯＧ  Ｐ」プログラムによって計算するのが最も好都合である。このプログラムでは、ｌｏｇＰ実験値をポモナ９２（Pomona 92）データベースで利用できる場合には、実験的なｌｏｇＰの値も一覧にしている。「ｌｏｇＰ計算値」（ＣｌｏｇＰ）は、ハンシュ（Hansch）とレオ（Leo）のフラグメント手法によって求められる（Ａ．レオ（A. Leo）著、「包括的医化学（Comprehensive Medicinal Chemistry）」、第４巻、Ｃ．ハンシュ（C. Hansch）、Ｐ．Ｇ．サメンズ（P. G. Sammens）、Ｊ．Ｂ．テイラー（J.B. Taylor）及びＣ．Ａ．ラムスデン（C.A.Ramsden）編、２９５頁、パーガモン・プレス（Pergamon Press）、１９９０年を参照し、この文献を参照として本明細書に組み込む）。このフラグメント手法は、各香料成分の化学構造に基づいており、原子の数と種類、原子の結合性、及び化学結合をも考慮している。このＣｌｏｇＰ値は、最も信頼性が高く、このような物理化学的特性を評価するために広く使用され、本発明に有効な香料成分を選択する際に、実験に基づくｌｏｇＰの値の代わりに使用される。
【００１４】
最初にスプレーしたときにフレッシュニング芳香剤を表面に付与することに加えて、本発明の水性組成物は、有効量の香料を含有することで、着用中にある程度長続きする芳香と、濡れると放出されるいくらかの追加の芳香とを供給する。芳香の存続期間は、約３未満のＣｌｏｇＰ及び約２００℃超の沸点を有する香料成分を利用することで延長することができる。香料成分の蒸発速度はその沸点に反比例しており、香料成分の沸点が高いほど、蒸発速度は低くなる。
【００１５】
本発明の水性組成物は、３未満のＣｌｏｇＰ及び約２００℃超の沸点を有する香料成分を十分な量（少なくとも約１０％、あるいは少なくとも４０％、あるいは少なくとも７０％）含有する。香料の少なくとも約１０ｗｔ％、あるいは少なくとも約４０ｗｔ％、あるいは少なくとも約７０ｗｔ％は香料成分から構成されており、それら香料成分としては、分子量が約１３０〜約２５０の芳香族及び脂肪族のエステル類；分子量が約９０〜約２４０の脂肪族及び芳香族アルコール類；分子量が約１５０〜約２６０の脂肪族ケトン類；分子量が約１５０〜約２７０の芳香族ケトン類；分子量が約１３０〜約２９０の芳香族及び脂肪族ラクトン類；分子量が約１４０〜約２００の脂肪族アルデヒド類；分子量が約９０〜約２３０の芳香族アルデヒド類；分子量が約１５０〜約２７０の脂肪族及び芳香族エーテル類；並びに分子量が約１８０〜約３２０のアルデヒドとアミンとの縮合生成物類が包含される。香料成分は、ニトロムスク類及びハロゲン化芳香剤類を本質的に含まななくてもよい。好適な香料成分の非限定例としては、表１に列挙するもの及びそれらの混合物が挙げられる。
【００１６】
【表１−１】
0005687900.tif 000002
【００１７】
【表１−２】
0005687900.tif 000003
【００１８】
【表１−３】
0005687900.tif 000004
【００１９】
別の実施形態では、本発明の水性組成物には、約３未満のＣｌｏｇ及び約２５０℃超の沸点を有する香料成分が包含される。非限定的な例となるこの種の香料成分としては、表２中のもの及びこれらの混合物が挙げられる。
【００２０】
【表２】
0005687900.tif 000005
【００２１】
別の実施形態では、約３未満のＣｌｏｇＰ及び約２８０℃超の沸点を有する香料成分を本発明において使用する。非限定的な例となるこの種の香料成分としては、表３中のもの及びそれらの混合物が挙げられる。
【００２２】
【表３】
0005687900.tif 000006
【００２３】
本発明の水性組成物にシクロデキストリンを添加する場合、香料とシクロデキストリンとの重量比は、典型的には約３：１００〜約１００：１００、あるいは約４：１００〜約５０：１００、あるいは約５：１００〜約４０：１００、あるいは約５：１００〜約２５：１００、あるいは約１：８〜約１：４である。
【００２４】
Ｂ．界面活性剤
本発明の水性組成物において使用するのに好適な界面活性剤は、家庭用の洗浄組成物、布地処理組成物又は脱臭組成物において使用するのに好適なもののうちのいずれかであり得る。これらには、アニオン性、非イオン性、カチオン性、両性、及び双イオン性の洗剤が包含される。
【００２５】
アニオン性洗剤の例としては、Ｃ8〜Ｃ22アルキルスルファート類、アルキル基中の炭素原子数が９〜１５のアルキルベンゼンスルホナート類、アルキル鎖中に８〜２２個の炭素原子と１〜３０個のエチレンオキシド基とを有するアルキルエチレンオキシドエーテルスルファート類、及びＣ8〜Ｃ22脂肪酸石鹸類が挙げられる。非イオン性界面活性剤の例としては、エチレンオキシド３〜３０モルと炭素原子数８〜２２の脂肪族アルコールとの縮合体類、エチレンオキシド５〜３０モルとアルキルフェノールとの縮合体類であってアルキルの炭素源原子数が９〜１５のもの、及びＣ8〜Ｃ22アルキルジメチルアミンオキシド類が挙げられる。一実施形態では、非イオン性界面活性剤は、ダウ・ケミカル社（The Dow Chemical Company）から入手可能なタージトール（Tergitol）（商標）１５−Ｓとして既知の第二級アルコールエトキシレートである。両性及び双イオン性界面活性剤の例は、米国特許第３，９２９，６７８号（ラフリン（Laughlin）ら、１９７５年１２月３０日発行）の第１９欄３８行目〜第２２欄４８行目に見出される。カチオン性界面活性剤の例は、炭素原子数８〜２２のアルキル基鎖を少なくとも１つ有するテトラアルキル四級アンモニウム塩類であり、それ以外のアルキル基は１〜２２個の炭素原子を含有することができ、またアニオン性対イオンがハロゲン、エチルスルファート、又はメチルスルファートである。本明細書における用語「家庭用の洗浄組成物、及び布地処理組成物及び脱臭組成物」には、布地の洗濯組成物、柔軟仕上げ組成物及びフレッシュニング組成物、並びに床、ラグ、及びその他の家庭用品表面の処理組成物が包含され、その表面を清浄化すること及び／又はその表面に有益な処理若しくは特性を付与することが望ましい。界面活性剤は、製品の意図される用途に応じて、水性組成物の約０．０１ｗｔ％〜約５０ｗｔ％、あるいは約０．０１ｗｔ％〜約３０ｗｔ％、あるいは約０．０１ｗｔ％〜約２０ｗｔ％、あるいは約０．０１ｗｔ％〜約１０ｗｔ％、あるいは約０．０５ｗｔ％〜約６ｗｔ％、あるいは約０．０８ｗｔ％〜約２ｗｔ％の濃度で使用されてもよい。典型的な濃度は、約０．１％〜約３０％、及び約５％〜約２０％であってもよい。追加の界面活性剤は、米国特許第３，６６４，９６１号（ノリス（Norris）、１９７２年５月２３日発行）に開示されている。
【００２６】
Ｃ．任意成分
本発明の水性組成物は更に、かかる組成物中に見出される通常の補助剤を含有することも可能である。これらとしては、ビルダー（例えば、リン酸塩類、クエン酸塩類、ポリカルボキシレート類、ケイ酸塩類等）、汚れ懸濁剤（例えば、カルボキシメチルセルロース）、抗菌剤（例えば、シクロヘキシジン、ビグアニド類等）、ヒドロトロープ（例えば、クメンスルホン酸ナトリウム、プロピレングリコール）、キレート剤（例えば、ダウ・ケミカル社（The Dow Chemical Company）から入手可能なバーセン（Versenne）１００）、酵素（例えば、プロテアーゼ類）、防腐剤、並びに溶媒（例えば、エタノール、エチレングリコールモノブチルエーテル）が挙げられる。
【００２７】
ＣｌｏｇＰが約３未満の香料成分に加えて、香料は、ＣｌｏｇＰが約３超の香料成分を含有することも可能である。かかる成分の非限定的な例を表４に示す。
【００２８】
【表４】
0005687900.tif 000007
【００２９】
表面（例えば、布地、カーペット、カウンタートップ等）上で良好な脱臭効果を発揮する本明細書中の組成物は、シクロデキストリンを含有することができる。処理された表面に所望の芳香を供給する香料に加えて、シクロデキストリンは、臭気、例えば、発汗及び尿の中に存在するものを吸収する能力も有している。
【００３０】
本発明で使用されるシクロデキストリン、例えば、α−シクロデキストリン及び／若しくはその誘導体、γ−シクロデキストリン及び／若しくはその誘導体、誘導体化β−シクロデキストリン、並びに／又はそれらの混合物は、水に非常に容易に溶解することができる。シクロデキストリンの誘導体は、主に、一部のＯＨ基がＯＲ基に変換されている分子からなる。シクロデキストリン誘導体としては、例えば、メチル化シクロデキストリン及びエチル化シクロデキストリン（式中、Ｒはメチル基又はエチル基である）のように、短鎖アルキル基を有するもの；ヒドロキシプロピルシクロデキストリン及び／又はヒドロキシエチルシクロデキストリン（式中、Ｒは−ＣＨ2−ＣＨ（ＯＨ）−ＣＨ3又は−ＣＨ2ＣＨ2−ＯＨ基である。）のような、ヒドロキシアルキル置換基を有するもの；マルトース結合シクロデキストリンのような分枝鎖シクロデキストリン；２−ヒドロキシ−３−（ジメチルアミノ）プロピルエーテル（式中、Ｒは、低ｐＨでカチオン性である、ＣＨ2−ＣＨ（ＯＨ）−ＣＨ2−Ｎ（ＣＨ3）2である。）を含有するもののようなカチオン性シクロデキストリン；四級アンモニウム、例えば、２−ヒドロキシ−３−（トリメチルアンモニオ）プロピルエーテルクロリド基（式中、ＲはＣＨ2−ＣＨ（ＯＨ）−ＣＨ2−Ｎ+（ＣＨ3）3Ｃｌ-である。）；カルボキシメチルシクロデキストリン、シクロデキストリンスルファート及びシクロデキストリンスクシニレートのようなアニオン性シクロデキストリン；カルボキシメチル／四級アンモニウムシクロデキストリンのような両性シクロデキストリン；少なくとも１個のグルコピラノース単位が３−６−アンヒドロ−シクロマルト構造を有するシクロデキストリン、例えば、Ｆ．ダイダイニ−ピラード（Diedaini-Pilard）及びＢ．パーリー（Perly）、「シクロデキストリンに最小限の化学修飾を施した場合の最適性能（Optimal Performances with Minimal Chemical Modification of Cyclodextrins）」、第７回国際シクロデキストリンシンポジウム要旨集（The 7th International Cyclodextrin Symposium Abstracts）、１９９４年４月、４９頁に開示されているようなモノ−３−６−アンヒドロシクロデキストリンであって、該参考文献は参照として本明細書に組み込まれ；並びにこれらの混合物が挙げられる。他のシクロデキストリン誘導体は、米国特許第３，４２６，０１１号、同第３，４５３，２５７号、同第３，４５３，２５８号、同第３，４５３，２５９号、及び同第３，４５３，２６０号（氏名は全てパーメーター（Parmerter）らであって、全て１９６９年７月１日発行）；同第３，４５９，７３１号（グラメラ（Gramera）ら、１９６９年８月５日発行）；同第３，５５３，１９１号（パーメーターら、１９７１年１月５日発行）；同第３，５６５，８８７号（パーメーターら、１９７１年２月２３日発行）；同第４，５３５，１５２号（セユトリ（Szejtli）ら、１９８５年８月１３日発行）；同第４，６１６，００８号（ヒライ（Hirai）ら、１９８６年１０月７日発行）；同第４，６７８，５９８号（オギノ（Ogino）ら、１９８７年７月７日発行）；同第４，６３８，０５８号（ブラント（Brandt）ら、１９８７年１月２０日発行）；並びに同第４，７４６，７３４号（ツチヤマ（Tsuchiyama）ら、１９８８年５月２４日発行）���開示されており、これら全ての該特許公報を参照として本明細書に組み込む。
【００３１】
非常に水に溶解し易いシクロデキストリンとは、室温で１００ｍＬの水に少なくとも約１０ｇ、あるいは１００ｍＬの水に少なくとも約２０ｇ、あるいは室温で１００ｍＬの水に少なくとも約２５ｇの水溶性を示すものである。可溶化された、複合体化してないシクロデキストリンの有用性は、有効かつ効率的な臭気抑制性能には必須である。可溶化された水溶性シクロデキストリンは、表面、特に布地の上に付着すると、非水溶性シクロデキストリンよりも効率良く臭気抑制性能を示すことができる。
【００３２】
本明細書で用いるのに好適な水溶性シクロデキストリン誘導体の例は、ヒドロキシプロピルα−シクロデキストリン、メチル化α−シクロデキストリン、メチル化β−シクロデキストリン、ヒドロキシエチルβ−シクロデキストリン、及びヒドロキシプロピルβ−シクロデキストリンである。シクロデキストリン１個当たりのＯＲ基の総数を置換度として定義する場合、ヒドロキシアルキルシクロデキストリン誘導体は、約１〜約１４、あるいは約１．５〜約７の置換度を有することができる。メチル化シクロデキストリン誘導体は、典型的には、約１〜約１８、あるいは約３〜約１６の置換度を有する。既知のメチル化β−シクロデキストリンは、へプタキス−２，６−ジ−Ｏ−メチル−β−シクロデキストリンであって、これは一般にＤＩＭＥＢとして知られており、各グルコース単位が約１４の置換度のメチル基を約２個有している。更に多数市販されているメチル化β−シクロデキストリンは、ランダムにメチル化されたβ−デキストリンであって、これは一般にはＲＡＭＥＢとして知られており、様々な置換度、通常は約１２．６を有している。ＤＩＭＥＢは界面活性剤の界面活性に、ＲＡＭＥＢよりも更に大きな影響を及ぼす。シクロデキストリンは、セレスターＵＳＡ社（Cerestar USA, Inc.）及びワッカー・ケミカル（ＵＳＡ）社（Wacker Chemicals （USA）, Inc.）から入手可能である。
【００３３】
シクロデキストリンの混合物も本発明では使用することができる。組成物中で使用されるシクロデキストリンの量は、水性組成物の約０．０１ｗｔ％〜約２０ｗｔ％までの範囲であることができる。組成物を希釈して使用する場合、組成物には約３％〜約２０％、あるいは約５％〜約１０％含有される。非希釈の形態で使用する組成物には、一般に約０．０１％〜約５％、あるいは約０．１％〜約３％、あるいは約０．５％〜約２％含有される。
【００３４】
シクロデキストリンを有する組成物を配合する場合、シクロデキストリンとの親和性に特に優れた界面活性剤を使用することができる。好適なシクロデキストリン親和性の界面活性剤は、界面活性剤によって提供される表面張力にシクロデキストリンが影響を及ぼさないことで容易に識別できる。これは、溶液中に約１％の特定のシクロデキストリンを含む又は含まない界面活性剤水溶液の表面張力（ダイン／ｃｍ2）を測定することによって達成される。水溶液は、約０．５％、０．１％、０．０１％、及び０．００５％の濃度で界面活性剤を含有する。シクロデキストリンは、界面活性剤溶液の表面張力を上昇させることにより、界面活性剤の界面活性に影響を及ぼすことができる。水中の所与の濃度における表面張力が、シクロデキストリンの１％溶液中の同じ界面活性剤の表面張力と約１０％超異なる場合、それは、界面活性剤とシクロデキストリンとの間の強い相互作用を示唆する。本明細書における界面活性剤では、水溶液中の表面張力が、１％のシクロデキストリンを含有する同じ濃度の水溶液の表面張力に比べて約１０％未満、あるいは約５％未満、あるいは約１％未満だけ異なる（更に低い）ことができる。
【００３５】
（ａ）ブロックコポリマー
シクロデキストリン親和性非イオン性の界面活性剤の非限定的な例としては、エチレンオキシドとプロピレンオキシドとのブロックコポリマーが挙げられる。大抵のシクロデキストリンと親和性を示す、好適なブロックポリオキシエチレン−ポリオキシプロピレンポリマー界面活性剤としては、初期の反応性水素化合物としてエチレングリコール、プロピレングリコール、グリセロール、トリメチロールプロパン、及びエチレンジアミンをベースとするものが挙げられる。例えばＣ12〜18脂肪族アルコールのような、単一の反応性水素原子を有する初期化合物を逐次的なエトキシル化及びプロポキシル化によって作製した高分子化合物は、一般に、シクロデキストリンと親和性を示さない。ＢＡＳＦ−ワイアンドット社（BASF-Wyandotte Corp.）（ミシガン州ワイアンドット（Wyandotte））により、プルロニック（Pluronic）（登録商標）及びテトロニック（Tetronic）（登録商標）と命名された特定のブロックポリマー界面活性剤化合物が容易に入手可能である。
【００３６】
この種のシクロデキストリン親和性の界面活性剤の非限定的な例としては、
一般式Ｈ（ＥＯ）n（ＰＯ）m（ＥＯ）nＨを有するプルロニック界面活性剤が挙げられ、式中、ＥＯはエチレンオキシド基であり、ＰＯはプロピレンオキシド基であり、ｎ及びｍは界面活性剤中のその基の平均数を示す数字である。シクロデキストリン親和性プルロニック界面活性剤の典型的な例は、次のもの：
【００３７】
【表５】
0005687900.tif 000008
及びこれらの混合物である。
【００３８】
テトロニック界面活性剤は次の一般式を有し：
【００３９】
【化１】
0005687900.tif 000009
式中、ＥＯ、ＰＯ、ｎ及びｍは、上記と同じ意味を有する。シクロデキストリン親和性テトロニック界面活性剤の典型的な例は、次のもの：
【００４０】
【表６】
0005687900.tif 000010
及びこれらの混合物である。
【００４１】
「リバース（Reverse）」プルロニック及びテトロニック界面活性剤は、次の一般式を有する：
リバースプルロニック界面活性剤  Ｈ（ＰＯ）m（ＥＯ）n（ＰＯ）mＨ
リバーステトロニック界面活性剤
【００４２】
【化２】
0005687900.tif 000011
式中、ＥＯ、ＰＯ、ｎ及びｍは上記と同じ意味を有する。シクロデキストリン親和性のリバースプルロニック及びリバーステトロニック界面活性剤の典型的な例は、次のもの：
リバースプルロニック界面活性剤：
【００４３】
【表７】
0005687900.tif 000012
【００４４】
リバーステトラニック界面活性剤
【００４５】
【表８】
0005687900.tif 000013
及びこれらの混合物である。
【００４６】
（ｂ）シロキサン界面活性剤
別の分類のシクロデキストリン親和性の非イオン性界面活性剤は、ジメチルポリシロキサン疎水性部分と、１個以上の親水性ポリアルキレン側鎖とを有し、次の一般式を有する、ポリアルキレンオキシドポリシロキサンであり：
Ｒ1−（ＣＨ3）2ＳｉＯ−［（ＣＨ3）2ＳｉＯ］a−［（ＣＨ3）（Ｒ1）ＳｉＯ］b−Ｓｉ（ＣＨ3）2−Ｒ1
式中、ａ＋ｂは約１〜約５０、あるいは約３〜約３０、あるいは約１０〜約２５であり、Ｒ1はそれぞれ同一又は異なっており、メチル基及び次の一般式を有するポリ（エチレンオキシド／プロピレンオキシド）コポリマー基からなる群より選択され：
−（ＣＨ2）nＯ（Ｃ2Ｈ4Ｏ）c（Ｃ3Ｈ6Ｏ）dＲ2
ただし、少なくとも１つのＲ1がポリ（エチレンオキシド／プロピレンオキシド）コポリマー基であり、式中、ｎは３又は４、あるいは３であり、（全てのポリアルキレンオキシ側鎖基に対して）ｃの合計の値は約１〜約１００まで、あるいは約６〜約１００までの値であり、ｄの合計は０〜約１４、又は０〜約３であり、及びあるいはｄは０であり、ｃ＋ｄの合計は約５〜約１５０、あるいは約９〜約１００であり、並びに各Ｒ2は同一であるか又は異なり、かつ水素、１〜４個の炭素原子を有するアルキル基、及びアセチル基、あるいは水素及びメチル基からなる群より選択される。
【００４７】
この種の界面活性剤の例は、モーメンティブ・パフォーマンス・マテリアルズ（Momentive Performance Materials）から入手可能なシルウェット（Silwet）（登録商標）ハイドロステイブル（Hydrostable）６８、６１１及び２１２である。他の代表的なシルウェット（Silwet）界面活性剤は、次のものである。
【００４８】
【表９】
0005687900.tif 000014
【００４９】
ポリアルキレンオキシ基（Ｒ1）の分子量は、約１０，０００以下である。あるいは、ポリアルキレンオキシ基の分子量は約８，０００以下、あるいは約３００〜約５，０００までの範囲である。したがって、ｃとｄの値は、これら範囲内の分子量を提供する数値であることができる。一方、ポリエーテル鎖（Ｒ1）中のエチレンオキシ単位（(Ｃ2Ｈ4Ｏ）の数は、ポリアルキレンオキシドポリシロキサンを水分散性又は水溶性にするのに十分でなければならない。プロピレンオキシ基がポリアルキレンオキシ鎖内に存在する場合、それらは鎖内にランダムに分布するか又はブロックとして存在することができる。界面活性以外に、ポリアルキレンオキシドポリシロキサン界面活性剤は更に、他の効果、例えば、帯電防止効果、潤滑性、及び柔軟性を布地に提供することもできる。
【００５０】
ポリアルキレンオキシドポリシロキサンの調製は、当該技術分野において周知である。本発明のポリアルキレンオキシドポリシロキサンは、米国特許第３，２９９，１１２号に記載されている手順に従って調製することができ、これを参照として本明細書に組み込む。通常は、本発明の界面活性剤のブレンドであるポリアルキレンオキシドポリシロキサンは、ヒドロシロキサン（すなわち、ケイ素−水素が結合した水素を含有するシロキサン）とアルコキシ又はヒドロキシで末端がブロック化されたポリアルキレンオキシドのアルケニルエーテル（例えば、ビニルエーテル、アリルエーテル、又はメタリルエーテル）との付加反応により容易に調製される。この種の付加反応で用いられる反応条件は、当該技術分野において周知であり、一般には、反応物質を白金触媒（例えば、クロロ白金酸）及び溶媒（例えば、トルエン）の存在下での加熱（例えば、約８５℃〜１１０℃の温度で）を伴う。
【００５１】
（ｃ）アニオン性界面活性剤
シクロデキストリン親和性のアニオン性界面活性剤の非限定的な例は、一般式：
【００５２】
【化３】
0005687900.tif 000015
（式中、Ｒはアルキル基である。）を有する、アルキルジフェニルオキシドジスルホナートである。この種の界面活性剤の例は、ダウ・ケミカル社（Dow Chemical Company）から、商品名ダウファックス（Dowfax）（登録商標）（式中、Ｒは直鎖又は分枝鎖のＣ6〜Ｃ16アルキル基である。）として入手可能である。これらのシクロデキストリン親和性のアニオン性界面活性剤の例は、Ｒがほぼ直鎖Ｃ10基であるダウファックス（Dowfax）３Ｂ２である。これらのアニオン性界面活性剤はまた、抗微生物活性物質又は防腐剤などがカチオン性であり、アニオン性界面活性剤がカチオン性活性成分に備わるその相互作用を最小限に抑えるような場合には、界面活性剤と活性物質の双方の効果が低下するので使用しない。
【００５３】
上記界面活性剤は、シクロデキストリンと弱く相互作用する（表面張力の上昇が５％未満）か又は全く相互作用しない（表面張力の上昇が１％未満）かのいずれかである。ドデシル硫酸ナトリウム及びドデカノールポリ（６）エトキシレートのような標準的な界面活性剤は、強く相互作用し、ヒドロキシプロピル−βシクロデキストリン及びメチル化β−シクロデキストリンのような一般的なシクロデキストリンの存在下で、表面張力を１０％超上昇させる。
【００５４】
本発明の水性組成物中のシクロデキストリン親和性界面活性剤の典型的な濃度は、組成物の約０．０１ｗｔ％〜約２ｗｔ％、あるいは約０．０３ｗｔ％〜約０．６ｗｔ％、あるいは約０．０５ｗｔ％〜約０．３ｗｔ％である。高濃度組成物中のシクロデキストリン親和性界面活性剤の典型的な濃度は、高濃度組成物の約０．１ｗｔ％〜約８ｗｔ％、あるいは約０．２ｗｔ％〜約４ｗｔ％、あるいは約０．３ｗｔ％〜約３ｗｔ％である。
【００５５】
シクロデキストリンを含有する脱臭組成物は、米国特許第６，７６７，５０７号に更に詳しく記載されている。
【００５６】
Ｄ．拭き取り用品
本発明の水性組成物は、市販の基材、例えば、米国再発行特許第３８５０５号、米国再発行特許第３８１０５号、及び米国特許第６，９３６，３３０号で説明されている基材に含浸することができ、これら特許を参照として本明細書に組み込む。一実施形態では、基材は、無生物の家庭用品表面を包含する多様な表面を脱臭、消毒、又は清浄化するための不織布ウェットタオルであってもよい。
【００５７】
Ｅ．充填容器
本発明の水性組成物は、親水性香料と親和性の材料で構成されたプラスチック容器に充填することができる。これら材料は、親水性香料成分との複合体形成を防止し、その結果、プラスチック容器による吸収及び／又は容器を通じての透過が最小限に抑えられる。好適な親水性香料と親和性の材料は、ガスクロマトグラフィー分析によって平均的な親水性香料の損失を測定することにより、容易に識別することができる。親水性香料と親和性の材料による親水性香料成分の平均的な損失は、結果として、元々含まれていた個々の親水性香料成分の約５０％未満、あるいは約２０％未満、あるいは約１５％未満、あるいは約１０％未満となる。
【００５８】
十分な量の親水性香料成分を含有する水性組成物は、少なくとも８０％が親水性香料と親和性の材料で構成されたプラスチック容器の中で、周囲温度において８週間貯蔵することができる。貯蔵後、ガスクロマトグラフィー分析を用いて、水性組成物中に残存する様々な香料成分の量を測定して、元々含まれていた各成分の量に対するおよその損失を算出する。
【００５９】
本発明に好適な親水性香料と親和性の材料の効果的な用量は、容器の少なくとも約８０ｗｔ％、あるいは約８０ｗｔ％〜約１００ｗｔ％、あるいは約９０ｗｔ％〜約１００ｗｔ％、あるいは１００ｗｔ％である。親水性香料と親和性の材料の非限定的な例は、高密度ポリエチレン（ＨＤＰＥ）、低密度ポリエチレン（ＬＤＰＥ）、ポリ塩化ビニル（ＰＶＣ）、ポリプロピレン（ＰＰ）、ポリスチレン（ＰＳ）、ポリエチレン−コ−ビニルアルコール（ＥＶＯＨ）、アクラー（Aclar）（登録商標）などのフッ素化ポリマー、バレックス（Barex）（登録商標）などのアクリロニトリル−メチルアクリレートコポリマー、又はこれらの混合物のいずれかの樹脂である。本発明では、選択例としてＨＤＰＥを利用する。
【００６０】
一実施形態では、プラスティパック・パッケージング社（Plastipak Packaging Inc）（イリノイ州シャンペーン（Champaign））製のＨＤＰＥ瓶を、本発明の水性組成物を入れるために使用する。ＨＤＰＥ瓶は、吹込み成形、射出成形、及び当該技術分野において既知の熱形成法のうちいずれかによって製造することができる。例えば、吹込み成形された瓶の場合、熱軟化したＨＤＰＥを金型の空洞に中空管として押出して、冷たい金型の空洞の壁に強制空気で押圧することで瓶が形成される。瓶は冷却することにより、固化する。
【００６１】
ＣｌｏｇＰが約３未満の香料組成物は、ＰＰ及びＨＤＰＥ等の親水性香料と親和性の材料の中に多量に吸収されない及び／又は材料を通じて透過されないことが分かった。したがって、このことは、プラスチック容器を通じての香料成分の透過を防止するのに役立ち、結果として、注目に値する、更に長続きする芳香の存続期間を消費者に提供する。
【００６２】
親水性香料と親和性の材料の中のどれもが、非晶質炭素、シリコン酸化物（silicone oxide）、又はこれらの混合物を包含する１つ以上のバリア材料との併用、及び金属化コーティングとの併用が可能である。以下の実施例は例証目的で提示されるものであり、いかなる形でも本発明の範囲を限定することを意図するものではない。
【実施例】
【００６３】
（実施例Ｉ）
本実施例では、無生物表面（例えば、ラグ、衣類、カウンタートップ類等）用の２種の脱臭組成物を、芳香剤の完全性を維持するため又は芳香の損失を最小限に抑えるために、ＨＤＰＥ  ５２ｇ（瓶の１００ｗｔ％）で構成された８００ｍＬプラスチック瓶内で評価する。第１組成物である組成物Ａは、約０．０５％が香料であって、香料の少なくとも約４７．９％が、約３未満のＣｌｏｇＰ及び約２８０℃超の沸点を有する香料成分から作製されている。第２組成物である組成物Ｂは、約０．０５％が香料であって、香料の４０．８％が、ＣｌｏｇＰが約３超であり及び約２８０超の沸点を有する香料成分から作製されている。対照香料は、約０．０５％が香料であり、香料の１８．７％が、約３未満のＣｌｏｇＰ及び約２８０超の沸点を有する香料成分である。
【００６４】
官能試験員らは、新たに作製された組成物と経時変化した組成物（Ａ、Ｂ、及び対照）を、次の間隔を置いてそれぞれの香りの強度について評価する：組成物を布地にスプレーした直後、２時間、２４時間、及び４８時間。新たに作製された組成物とは、香料が作製直後に評価されるもの、又は４℃の恒温恒湿（ＣＴＣＨ）の部屋で適切に貯蔵したものが約２週間以内に評価されるものである。経時変化した組成物とは、周囲温度又は４９℃の部屋に約２週間以上さらしたものである。
【００６５】
図１及び表５に、新たに調製された組成物の香りの強度を経時的に示す。４８時間では、組成物Ａは４０のグレードを示し、組成物Ｂは３５のグレードを示し、そして対照組成物は４８時間で２０のグレードを示している。
【００６６】
【表１０】
0005687900.tif 000016
【００６７】
図２及び表６には、経時変化した組成物の布地上での香りの強度が経時的に示されている。４８時間では、組成物Ａは２５のグレードを示し、組成物Ｂは２０のグレードを示し、そして対照組成物は１０のグレードを示している。消費者が明確に気付いた香りと、消費者が明確に気付かない香りとのグレードの差は、少なくとも１５である。経時変化した製品では、消費者は対照組成物に対して明確に気付かないが、組成物Ａ及びＢに対して明確に気付いている。
【００６８】
【表１１】
0005687900.tif 000017
【００６９】
総体的に、組成物Ａと組成物Ｂの香りの強度は、香料を布地上にスプレーしてから４８時間後でも維持されている。４８時間では、組成物Ａについては「明瞭な柑橘系」及び組成物Ｂについては「明瞭な柑橘系の新鮮さ」を有する香りの特徴がコメントされている。
【００７０】
（実施例ＩＩ）
本実施例では、無生物表面（例えば、ラグ、衣類、カウンタートップ類等）用の２種以上の脱臭組成物を、芳香剤の完全性を維持するため又は芳香の損失を最小限に抑えるために、５２ｇのＨＤＰＥ（瓶の１００ｗｔ％）で構成された８００ｍＬプラスチック瓶内で評価する。第１組成物である組成物Ｃは、約０．０６５％が香料であって、香料の少なくとも約４７．９％が、約３未満のＣｌｏｇＰ及び約２８０℃超の沸点を有する香料成分から作製されている。第２組成物である組成物Ｄは、約０．０６５％が香料であって、香料の約３４．４％が、約３未満のＣｌｏｇＰ及び約２８０超の沸点を有する香料成分から作製されている。対照香料は、約０．０５％が香料であり、香料の１８．７％が、約３未満のＣｌｏｇＰ及び約２８０超の沸点を有する香料成分である。官能試験員らは、新たに作製された香料と経時変化した香料について、実施例Ｉで認定した工程に従って評価する。図３及び表７には、新たに調製された組成物の布地上での強度を経時的に示している。
【００７１】
【表１２】
0005687900.tif 000018
【００７２】
図４及び表８には、経時変化した組成物の香りの強度を経時的に示している。
【００７３】
【表１３】
0005687900.tif 000019
【００７４】
７２時間では、組成物Ｄについての「顕著な特徴があり、目標物にふさわしい」、及び組成物Ｃについての「更に強いフローラルな柑橘系」を有する香りの特徴がコメントされている。
【００７５】
（実施例ＩＩＩ）
本発明で使用するのに好適な水性組成物を以下の通り配合する。
【００７６】
【表１４】
0005687900.tif 000020
【００７７】
水性組成物を、ＨＤＰＥ容器内で周囲温度下約８週間貯蔵する。貯蔵後に、ガスクロマトグラフィー分析を用いて、組成物中に残存している表９中の香料成分の量を測定する。元々含まれていた各成分の量に対するおよその損失を算出する。
【００７８】
【表１５】
0005687900.tif 000021
【００７９】
平均損失率は、ＣｌｏｇＰが３未満の香料成分では５０％未満、及びＣｌｏｇＰが３超の香料成分では７０％超である。本実施例では、ＣｌｏｇＰが３超の香料成分をＨＤＰＥ容器内で貯蔵すると顕著な損失が生じることを示している。
【００８０】
（実施例ＩＶ）
本発明による液体柔軟仕上げ剤を以下の配合に従って作製して、ＨＤＰＥ容器に充填する。
【００８１】
【表１６】
0005687900.tif 000022
【００８２】
（実施例Ｖ）
本発明の液体洗濯洗剤を、以下の配合に合わせて作製して、フッ素化ポリエチレンの内表面を有する容器に充填する。
【００８３】
【表１７】
0005687900.tif 000023
【００８４】
本明細書に開示された寸法及び値は、列挙された正確な数値に厳しく限定されるものとして理解されるべきではない。それよりむしろ、別段の指定がない限り、こうした各寸法は、列挙された値とその値周辺の機能的に同等の範囲との両方を意味することを意図する。例えば、「１０％」として開示された値は、「約１０％」を意味することを意図する。更に、別段の指定がない限り、パーセントはいずれもｗｔ％を表すことを意図する。
【００８５】
相互参照した若しくは関連する特許又は特許出願を包含する本明細書に引用した文献は全て、明らかに除外あるいは限定されていない限りは、これによって、その全体を参照として本明細書に組み込む。いかなる文献の引用も、それが本明細書において開示されているか若しくは特許請求の範囲に記載されているいずれかの発明に関する先行技術であることを認めるものではなく、あるいはそれが単独で又は他のいかなる参考文献（単数若しくは複数）とのいかなる組み合わせにおいても、かかる発明を教示する、提案する、又は開示することを認めるものではない。更に、本明細書中の用語のいずれかの意味又は定義が、参照として組み込まれた文献における同一の用語のいずれかの意味又は定義と相反する限りにおいては、本明細書中の用語に与えられた定義又は意味が適用されるものとする。
【００８６】
以上、本発明の特定の実施形態を例示及び説明してきたが、当業者には、本発明の趣旨及び範囲から逸脱することなく他の様々な変更及び修正を行うことが可能であることが自明であろう。したがって、本発明の範囲内にあるそのような全ての変更及び修正を、添付の特許請求の範囲で扱うものとする。
【図１】
0005687900.tif 000024
【図２】
0005687900.tif 000025
【図３】
0005687900.tif 000026
【図４】
0005687900.tif 000027